(57)【要約】      （修正有）【課題】Ａｉｒｋｉｓｓ技術に基づく家庭用ペット給餌器システムを提供する。【解決手段】重力センサー、コントローラ、Ｗｉｆｉモジュール及びインテリジェントターミナルを備え、重力センサーはペット用給餌皿の下方に設置され、重力センサーはコントローラに電気的に接続され、コントローラはＷｉｆｉモジュールに電気的に接続され、コントローラはＷｉｆｉモジュールによってインテリジェントターミナルと無線接続を確立し、インテリジェントターミナルにはＡｉｒｋｉｓｓ技術モジュールが搭載されている。本考案は、ペットの摂食状況及び給餌器の食物量をリアルタイムに監視して、給餌器における食物をリアルタイムに調整し、ペットに十分な量の食物を提供することを確保し、ペットの健康を維持する。【選択図】図１
0003220180.tif 000002
【実用新案登録請求の範囲】
【請求項１】
Ａｉｒｋｉｓｓ技術に基づく家庭用ペット給餌器システムであって、
重力センサー、コントローラ、Ｗｉｆｉモジュール及びインテリジェントターミナルを備え、前記重力センサーはペット用給餌皿の下方に設置され、前記重力センサーは前記コントローラに電気的に接続され、前記コントローラは前記Ｗｉｆｉモジュールに電気的に接続され、前記コントローラは前記Ｗｉｆｉモジュールによって前記インテリジェントターミナルと無線接続を確立し、前記インテリジェントターミナルにはＡｉｒｋｉｓｓ技術モジュールが搭載されていることを特徴とするＡｉｒｋｉｓｓ技術に基づく家庭用ペット給餌器システム。
【請求項２】
前記重力センサーの数が２個であり、前記ペット用給餌皿は飲水皿と食物皿に分けられ、前記重力センサーはそれぞれ飲水皿と食物皿の下方に設置されることを特徴とする請求項１に記載のＡｉｒｋｉｓｓ技術に基づく家庭用ペット給餌器システム。
【請求項３】
さらにリセットモジュール、水晶発振器モジュール及びキーボードモジュールを備え、前記リセットモジュール、水晶発振器モジュール及びキーボードモジュールはそれぞれ前記コントローラに電気的に接続されることを特徴とする請求項１に記載のＡｉｒｋｉｓｓ技術に基づく家庭用ペット給餌器システム。
【請求項４】
前記コントローラは、型番ＳＴＭ３２Ｆ４０７のシングルチップマイクロコンピュータであり、前記重力センサーの型番はＹＺＣ−１３３であることを特徴とする請求項３に記載のＡｉｒｋｉｓｓ技術に基づく家庭用ペット給餌器システム。
【請求項５】
前記リセットモジュールは、キースイッチＫ５、コンデンサＣ３及び抵抗Ｒ３を含み、コンデンサＣ３、抵抗Ｒ３及びキースイッチＫ５のいずれもＮＲＳＴピンに接続され、コンデンサＣ３及びキースイッチＫ５の他端はいずれもアースし、抵抗Ｒ３の他端は電源に接続されることを特徴とする請求項４に記載のＡｉｒｋｉｓｓ技術に基づく家庭用ペット給餌器システム。
【請求項６】
前記水晶発振器モジュールは、コンデンサＣ１、コンデンサＣ２及び水晶発振器Ｙ１を含み、水晶発振器Ｙ１の一端はＯＳＣ＿ＯＵＴピンに接続され、水晶発振器Ｙ１の他端はコンデンサＣ１の一端に接続され、コンデンサＣ１の他端はそれぞれ地面とＯＳＣ＿ＩＮピンに接続され、コンデンサＣ２の一端はＯＳＣ＿ＯＵＴピンに接続され、コンデンサＣ２の他端はＯＳＣ＿ＩＮピンに接続されることを特徴とする請求項４に記載のＡｉｒｋｉｓｓ技術に基づく家庭用ペット給餌器システム。
【請求項７】
前記キーボードモジュールはボタンＫ０、Ｋ１、Ｋ２、Ｋ３を含み、ボタンＫ０、Ｋ１、Ｋ２、Ｋ３の一端は前記コントローラに電気的に接続され、ボタンＫ０、Ｋ１、Ｋ２、Ｋ３の他端はアースすることを特徴とする請求項４に記載のＡｉｒｋｉｓｓ技術に基づく家庭用ペット給餌器システム。
【請求項８】
さらに表示モジュールとメモリモジュールを備え、前記表示モジュール及びメモリモジュールはそれぞれ前記コントローラに電気的に接続されることを特徴とする請求項４に記載のＡｉｒｋｉｓｓ技術に基づく家庭用ペット給餌器システム。
【請求項９】
前記インテリジェントターミナルは、電源モジュール、メインコントローラ、無線受信モジュール及びディスプレイを含み、前記無線受信モジュールは前記Ｗｉｆｉモジュールと無線接続を確立し、前記無線受信モジュール及びディスプレイはそれぞれ前記メインコントローラに電気的に接続され、前記メインコントローラ、無線受信モジュール及びディスプレイはそれぞれ前記電源モジュールに電気的に接続されることを特徴とする請求項１に記載のＡｉｒｋｉｓｓ技術に基づく家庭用ペット給餌器システム。
【考案の詳細な説明】
【技術分野】
【０００１】
本考案は、モノのインターネットの技術分野に関し、具体的には、Ａｉｒｋｉｓｓ技術に基づく家庭用ペット給餌器システムに関する。
【背景技術】
【０００２】
Ａｉｒｋｉｓｓ技術は革新的な情報伝送技術であり、当該技術分野において広く知られる技術である。この技術によって、外部との実質的な接続（有線、無線、ブルートゥース(登録商標)、ＮＦＣなど）を確立していない装置に情報（環境におけるＷｉ−Ｆｉのｓｓｉｄ、パスワードなどの情報）を簡単に伝送することができる。
【０００３】
生活水準の向上に伴い、ますます多くの家庭がペットを飼い始めており、飼い主が留守の間、無人の家に残されているペットの世話をする人がなく、そのためにたくさんのお金で人を雇うか、又は自動給餌器でペットに食物を給餌する必要がある。しかしながら、現在、市販されている自動給餌器は、タイマーにより設定された時間に基づいてペットに給餌するものであり、必要に応じて調整する機能がないため、ペットへの水や食物の不足をリアルタイムに検知できず、ペットの健康に悪影響を与えて、避けられるべき傷害を与える。
【考案の概要】
【考案が解決しようとする課題】
【０００４】
従来のペット給餌器には、リアルタイムモニタリング機能を具備しないことにより、ペットの健康を維持するために、給餌量をリアルタイムに調整することができないという欠陥と欠点を解決するために、本考案は、Ａｉｒｋｉｓｓ技術に基づく家庭用ペット給餌器システムを提供する。
【課題を解決するための手段】
【０００５】
上記技術的問題を解決するために、本考案は以下の技術案を提供する。
Ａｉｒｋｉｓｓ技術に基づく家庭用ペット給餌器システムであって、重力センサー、コントローラ、Ｗｉｆｉモジュール及びインテリジェントターミナルを備え、前記重力センサーはペット用給餌皿の下方に設置され、前記重力センサーは前記コントローラに電気的に接続され、前記コントローラは前記Ｗｉｆｉモジュールに電気的に接続され、前記コントローラは前記Ｗｉｆｉモジュールによって前記インテリジェントターミナルと無線接続を確立し、前記インテリジェントターミナルにはＡｉｒｋｉｓｓ技術モジュールが搭載されている。
【０００６】
さらに、前記重力センサーの数が２個であり、前記ペット用給餌皿は飲水皿と食物皿に分けられ、前記重力センサーはそれぞれ飲水皿と食物皿の下方に設置される。ペット飲水皿と食物皿の重量を効果的に制御するために、本考案による重力センサーの数が２個であり、２つの重力センサーはそれぞれペットの飲水皿と食物皿に設置されることにより、２つの皿にある飼料の重量をリアルタイムに監視できる。
【０００７】
さらに、リセットモジュール、水晶発振器モジュール及びキーボードモジュールをさらに備え、前記リセットモジュール、水晶発振器モジュール及びキーボードモジュールはそれぞれ前記コントローラに電気的に接続される。
【０００８】
さらに、前記コントローラは、型番ＳＴＭ３２Ｆ４０７のシングルチップマイクロコンピュータであり、前記重力センサーの型番はＹＺＣ−１３３である。
【０００９】
さらに、前記リセットモジュールは、キースイッチＫ５、コンデンサＣ３及び抵抗Ｒ３を含み、コンデンサＣ３、抵抗Ｒ３及びキースイッチＫ５のいずれもＮＲＳＴピンに接続され、コンデンサＣ３及びキースイッチＫ５の他端はいずれもアースし、抵抗Ｒ３の他端は電源に接続される。リセットモジュールを設置することにより、コントローラとその他の素子が所定の同一状態で作動し始め、同時にシステムがある干渉によりプログラムを期待されたとおり実行しない場合、リセットモジュールは、システムを改めて正常に動作させるように、リセットすることができる。リセットモジュールは、簡単なリセット回路を基にキースイッチＫ５を増設するものであり、キースイッチＫ５が押されると、システムはリセットし、コンデンサＣ３は高調波解消とフリーホイーリングの役割を果たす。
【００１０】
さらに、前記水晶発振器モジュールは、コンデンサＣ１、コンデンサＣ２及び水晶発振器Ｙ１を含み、水晶発振器Ｙ１の一端はＯＳＣ＿ＯＵＴピンに接続され、水晶発振器Ｙ１の他端はコンデンサＣ１の一端に接続され、コンデンサＣ１の他端はそれぞれ地面とＯＳＣ＿ＩＮピンに接続され、コンデンサＣ２の一端はＯＳＣ＿ＯＵＴピンに接続され、コンデンサＣ２の他端はＯＳＣ＿ＩＮピンに接続され、コンデンサＣ１、コンデンサＣ２及び水晶発振器Ｙ１は並列接続されて共鳴を発生させ、コントローラに必要なクロック周波数を発生させ、コントローラにリズムを与え、それによって、コントローラは順調にさまざまな操作を実行できる。
【００１１】
さらに、前記キーボードモジュールは、ボタンＫ０、Ｋ１、Ｋ２、Ｋ３を含み、ボタンＫ０、Ｋ１、Ｋ２、Ｋ３の一端は前記コントローラに電気的に接続され、ボタンＫ０、Ｋ１、Ｋ２、Ｋ３の他端はアースする。様々な使用場面に適用できるように、キーボードモジュールは予め設定された重量閾値を調整する。
【００１２】
さらに、表示モジュールとメモリモジュールをさらに備え、前記表示モジュール及びメモリモジュールはそれぞれ前記コントローラに電気的に接続され、コントローラは、重力センサーが収集した重力データを受信した後、受信した重力データを表示モジュールにより表示し、メモリモジュールはコントローラが受信した重力データを格納して、これらデータをバックアップする。
【００１３】
さらに、前記インテリジェントターミナルは、電源モジュール、メインコントローラ、無線受信モジュール及びディスプレイを備え、前記無線受信モジュールは前記Ｗｉｆｉモジュールと無線接続を確立し、前記無線受信モジュール及びディスプレイはそれぞれ前記メインコントローラに電気的に接続され、前記メインコントローラ、無線受信モジュール及びディスプレイはそれぞれ前記電源モジュールに電気的に接続され、そのうち、無線受信モジュールはコントローラからの状態情報を受信して、次に受信した状態情報をメインコントローラに伝送することに用いられ、メインコントローラは、具体的な状態情報をディスプレイにより人に表示させて制御することに用いられる。
【考案の効果】
【００１４】
従来技術に比べて、本考案は以下の有益な効果を有する。
本考案におけるインテリジェントターミナルにＡｉｒｋｉｓｓ技術モジュールが搭載されており、このような技術により、外部と接続を確立する装置による、外部と実質的に接続を確立していない装置への情報伝送を支援して、メーカーとＡｉｒｋｉｓｓプロトコルを締結したＷｉｆｉモジュールを使用することにより、使用者はＷｅＣｈａｔハードウェアプラットフォームにおいてＷｉｆｉモジュールにコマンドを送信してコントローラを制御することができ、飼い主が留守の間にも、家に残されているペットの摂食状況及び給餌器の食物量を確実に監視して、給餌器の食物をリアルタイムに調整することで、ペットに十分な量の食物を給餌し、ペットの健康を維持することができる。
【図面の簡単な説明】
【００１５】
本考案の実施例又は従来技術における技術案をより明瞭に説明するために、以下、実施例又は従来技術の説明に必要な図面を簡単に説明し、勿論、以下の説明における図面は本考案の実施例に過ぎず、当業者であれば、創造的な努力を必要とせずに、図面に基づいて他の図面を想到し得る。
【図１】本考案によるＡｉｒｋｉｓｓ技術に基づく家庭用ペット給餌器システムの構造模式図である。
【図２】本考案におけるインテリジェントターミナルの構造模式図である。
【図３】本考案におけるコントローラのシングルチップマイクロコンピュータの原理図である。
【図４】本考案におけるコントローラのリセットモジュールの原理図である。
【図５】本考案におけるコントローラの水晶発振器モジュールの原理図である。
【図６】本考案におけるコントローラのボタンモジュールの原理図である。
【考案を実施するための形態】
【００１６】
以下、本考案の実施例における技術案を明瞭且つ完全に説明するが、勿論、説明する実施例は本考案の実施例の一部に過ぎず、すべての実施例ではない。本考案における実施例に基づいて、当業者であれば、創造的な努力を必要とせずに想到し得るすべてのほかの実施例は、本考案の保護範囲に属する。
【００１７】
本考案の実施例は以下を含む。
図１−６に示されるように、Ａｉｒｋｉｓｓ技術に基づく家庭用ペット給餌器システムは、重力センサー、コントローラ、Ｗｉｆｉモジュール及びインテリジェントターミナルを備え、前記重力センサーはペット用給餌皿の下方に設置され、前記重力センサーは前記コントローラに電気的に接続され、前記コントローラは前記Ｗｉｆｉモジュールに電気的に接続され、前記コントローラは前記Ｗｉｆｉモジュールによって前記インテリジェントターミナルと無線接続を確立し、前記インテリジェントターミナルにはＡｉｒｋｉｓｓ技術モジュールが搭載されている。
【００１８】
本実施例において、前記重力センサーの数が２個であり、前記ペット用給餌皿は飲水皿と食物皿に分けられ、前記重力センサーはそれぞれ飲水皿と食物皿の下方に設置される。ペットの飲水皿と食物皿の重量を効果的に制御するために、本考案による重力センサーの数が２個であり、２つの重力センサーはそれぞれペットの飲水皿と食物皿に設置され、２つの皿における水と飼料の重量をリアルタイムに監視できる。
【００１９】
本実施例において、さらにリセットモジュール、水晶発振器モジュール及びキーボードモジュールを備え、前記リセットモジュール、水晶発振器モジュール及びキーボードモジュールはそれぞれ前記コントローラに電気的に接続される。
【００２０】
本実施例において、前記コントローラは、型番ＳＴＭ３２Ｆ４０７のシングルチップマイクロコンピュータであり、前記重力センサーの型番はＹＺＣ−１３３である。
【００２１】
図４に示されるように、さらに、前記リセットモジュールはキースイッチＫ５、コンデンサＣ３及び抵抗Ｒ３を含み、コンデンサＣ３、抵抗Ｒ３及びキースイッチＫ５はいずれもＮＲＳＴピンに接続され、コンデンサＣ３及びキースイッチＫ５の他端はいずれもアースし、抵抗Ｒ３の他端は電源に接続される。リセットモジュールを設置することにより、コントローラとその他の素子が所定の同一状態で作動し始め、同時にシステムがある干渉によりプログラムを期待されたとおり実行しない場合、リセットモジュールは、システムを改めて正常に動作させるように、リセットすることができる。リセットモジュールは、簡単なリセット回路を基にキースイッチＫ５を増設するものであり、キースイッチＫ５が押されると、システムはリセットし、コンデンサＣ３は高調波解消とフリーホイーリングの役割を果たす。
【００２２】
図５に示されるように、前記水晶発振器モジュールは、コンデンサＣ１、コンデンサＣ２及び水晶発振器Ｙ１を含み、水晶発振器Ｙ１の一端はＯＳＣ＿ＯＵＴピンに接続され、水晶発振器Ｙ１の他端はコンデンサＣ１の一端に接続され、コンデンサＣ１の他端はそれぞれ地面とＯＳＣ＿ＩＮピンに接続され、コンデンサＣ２の一端はＯＳＣ＿ＯＵＴピンに接続され、コンデンサＣ２の他端はＯＳＣ＿ＩＮピンに接続され、コンデンサＣ１、コンデンサＣ２及び水晶発振器Ｙ１は並列接続されて共鳴を発生させ、コントローラに必要なクロック周波数を発生させ、コントローラにリズムを与え、それによって、コントローラは順調にさまざまな操作を実行できる。
【００２３】
図６に示されるように、前記キーボードモジュールは、ボタンＫ０、Ｋ１、Ｋ２、Ｋ３を含み、ボタンＫ０、Ｋ１、Ｋ２、Ｋ３の一端は前記コントローラに電気的に接続され、ボタンＫ０、Ｋ１、Ｋ２、Ｋ３の他端はアースする。様々な使用場面に適用できるように、キーボードモジュールは予め設定された重量閾値を調整する。
【００２４】
本実施例において、さらに、表示モジュールとメモリモジュールをさらに備え、前記表示モジュール及びメモリモジュールはそれぞれ前記コントローラに電気的に接続され、コントローラは、重力センサーが収集した重力データを受信した後、受信した重力データを表示モジュールにより表示し、メモリモジュールはコントローラが受信した重力データを格納して、これらデータをバックアップする。
【００２５】
本実施例において、前記インテリジェントターミナルは、電源モジュール、メインコントローラ、無線受信モジュール及びディスプレイを備え、前記無線受信モジュールは前記Ｗｉｆｉモジュールと無線接続を確立し、前記無線受信モジュール及びディスプレイはそれぞれ前記メインコントローラに電気的に接続され、前記メインコントローラ、無線受信モジュール及びディスプレイはそれぞれ前記電源モジュールに電気的に接続され、そのうち、無線受信モジュールはコントローラからの状態情報を受信して、次に受信した状態情報をメインコントローラに伝送することに用いられ、メインコントローラは、具体的な状態情報をディスプレイにより人に表示させて制御することに用いられる。
【００２６】
本考案の作業フローと作業原理は以下のとおりである。
まず、重力センサーはそれぞれペットの飲水皿と食物皿に設置されて、２つの皿における飼料の重量をリアルタイムに監視し、コントローラは重力データをＷｉｆｉモジュールによりインテリジェントターミナルに送信し、コントローラにはそれぞれ飲水皿と食物皿の最高重力閾値及び最低重力閾値が予め設定されておき、重力が最高重力閾値より大きく又は最低重力閾値より低いと検出されたとき、コントローラはその旨をＷｉｆｉモジュールによりインテリジェントターミナルに送信して、水や食物の過不足を避けるように飼い主が実際な状況に応じて給餌器への給餌量を調整するよう、飼い主に通知する。
【００２７】
以上は本考案の実施例に過ぎず、本考案の登録請求の範囲を制限するものではなく、本考案の明細書について実施される等価構造又はプロセスの等価変形、又は直接又は間接的にほかの関連技術分野へ応用することは、いずれも本考案の特許保護範囲に含まれる。
【図１】
0003220180.tif 000003
【図２】
0003220180.tif 000004
【図３】
0003220180.tif 000005
【図４】
0003220180.tif 000006
【図５】
0003220180.tif 000007
【図６】
0003220180.tif 000008
【手続補正書】
【提出日】平成30年12月7日(2018.12.7)
【手続補正１】
【補正対象書類名】実用新案登録請求の範囲
【補正対象項目名】全文
【補正方法】変更
【補正の内容】
【実用新案登録請求の範囲】
【請求項１】
Ａｉｒｋｉｓｓ技術に基づく家庭用ペット給餌器システムであって、
重力センサー、コントローラ、Ｗｉｆｉモジュール及びインテリジェントターミナルを備え、前記重力センサーはペット用給餌皿の下方に設置され、前記重力センサーは前記コントローラに電気的に接続され、前記コントローラは前記Ｗｉｆｉモジュールに電気的に接続され、前記コントローラは前記Ｗｉｆｉモジュールによって前記インテリジェントターミナルと無線接続を確立し、前記インテリジェントターミナルにはＡｉｒｋｉｓｓ技術モジュールが搭載されていることを特徴とするＡｉｒｋｉｓｓ技術に基づく家庭用ペット給餌器システム。
【請求項２】
前記重力センサーの数が２個であり、前記ペット用給餌皿は飲水皿と食物皿に分けられ、前記重力センサーはそれぞれ飲水皿と食物皿の下方に設置されることを特徴とする請求項１に記載のＡｉｒｋｉｓｓ技術に基づく家庭用ペット給餌器システム。
【請求項３】
さらにリセットモジュール、水晶発振器モジュール及びキーボードモジュールを備え、前記リセットモジュール、水晶発振器モジュール及びキーボードモジュールはそれぞれ前記コントローラに電気的に接続されることを特徴とする請求項１に記載のＡｉｒｋｉｓｓ技術に基づく家庭用ペット給餌器システム。
【請求項４】
前記コントローラは、シングルチップマイクロコンピュータであることを特徴とする請求項３に記載のＡｉｒｋｉｓｓ技術に基づく家庭用ペット給餌器システム。
【請求項５】
前記リセットモジュールは、キースイッチＫ５、コンデンサＣ３及び抵抗Ｒ３を含み、コンデンサＣ３、抵抗Ｒ３及びキースイッチＫ５のいずれもＮＲＳＴピンに接続され、コンデンサＣ３及びキースイッチＫ５の他端はいずれもアースし、抵抗Ｒ３の他端は電源に接続されることを特徴とする請求項４に記載のＡｉｒｋｉｓｓ技術に基づく家庭用ペット給餌器システム。
【請求項６】
前記水晶発振器モジュールは、コンデンサＣ１、コンデンサＣ２及び水晶発振器Ｙ１を含み、水晶発振器Ｙ１の一端はＯＳＣ＿ＯＵＴピンに接続され、水晶発振器Ｙ１の他端はコンデンサＣ１の一端に接続され、コンデンサＣ１の他端はそれぞれ地面とＯＳＣ＿ＩＮピンに接続され、コンデンサＣ２の一端はＯＳＣ＿ＯＵＴピンに接続され、コンデンサＣ２の他端はＯＳＣ＿ＩＮピンに接続されることを特徴とする請求項４に記載のＡｉｒｋｉｓｓ技術に基づく家庭用ペット給餌器システム。
【請求項７】
前記キーボードモジュールはボタンＫ０、Ｋ１、Ｋ２、Ｋ３を含み、ボタンＫ０、Ｋ１、Ｋ２、Ｋ３の一端は前記コントローラに電気的に接続され、ボタンＫ０、Ｋ１、Ｋ２、Ｋ３の他端はアースすることを特徴とする請求項４に記載のＡｉｒｋｉｓｓ技術に基づく家庭用ペット給餌器システム。
【請求項８】
さらに表示モジュールとメモリモジュールを備え、前記表示モジュール及びメモリモジュールはそれぞれ前記コントローラに電気的に接続されることを特徴とする請求項４に記載のＡｉｒｋｉｓｓ技術に基づく家庭用ペット給餌器システム。
【請求項９】
前記インテリジェントターミナルは、電源モジュール、メインコントローラ、無線受信モジュール及びディスプレイを含み、前記無線受信モジュールは前記Ｗｉｆｉモジュールと無線接続を確立し、前記無線受信モジュール及びディスプレイはそれぞれ前記メインコントローラに電気的に接続され、前記メインコントローラ、無線受信モジュール及びディスプレイはそれぞれ前記電源モジュールに電気的に接続されることを特徴とする請求項１に記載のＡｉｒｋｉｓｓ技術に基づく家庭用ペット給餌器システム。